(57)【要約】【課題】光の照射および磁場の印加を受けることで情報を記録する光磁気記録媒体に光の照射および磁場の印加を行う光磁気ヘッド等に関し、サスペンションの形状公差や取付公差を４本のサスペンションのときのそれらの公差に保ったまま、３系統の制御電流を可動部に供給することができる光磁気ヘッド等を提供する。【解決手段】各一端が固定部３１０に遊動不能に接し、その各一端に対する各他端が可動部３３０に遊動不能に接し、可動部３３０を支持するとともに２系統の制御電流の経路になる４本のサスペンション３２１からなる固定サスペンション３２０と、各一端が固定部３１０に遊動不能に接し、各一端に対する各他端が可動部３３０に遊動可能に接し、１系統の制御電流の経路になる２本のサスペンション３５１からなる半固定サスペンション３５０とを備える。【選択図】        図４
2004206841.tif 000002
【特許請求の範囲】
【請求項１】
光の照射および磁場の印加を受けることで情報を記録する光磁気記録媒体に光の照射および磁場の印加を行う光磁気ヘッドにおいて、
ベースとなる固定部と、
前記光磁気記録媒体に光の照射および所定の磁界制御電流に基づく磁場の印加を行うコイルレンズが配備され、該光磁気記録媒体の面に沿うトラック方向に所定のトラッキング電流に基づいて移動するとともに、該面に交わるフォーカス方向に所定のフォーカシング電流に基づいて移動する可動部と、
各一端が前記固定部に遊動不能に接し、該各一端に対する各他端が前記可動部に遊動不能に接する、該可動部を支持する４本のサスペンションからなる固定サスペンションと、
各一端が前記固定部に遊動不能に接し、該各一端に対する各他端が前記可動部に遊動可能に接する２本のサスペンションからなる半固定サスペンションとを備え、
前記固定サスペンションを構成する４本のサスペンションのうち、所定の２本の第１サスペンションは、前記トラッキング電流、前記フォーカシング電流、および前記磁界制御電流の３種類の電流のうちいずれか１種類の電流が流れるものであって、残りの２本の第２サスペンションは、該３種類の電流から該第１サスペンションに流れる電流を除いた２種類の電流のうちいずれか一方の電流が流れるものであり、
前記半固定サスペンションを構成する２本のサスペンションは、前記２種類の電流から前記第２サスペンションに流れる電流を除いて残った電流が流れるものであることを特徴とする光磁気ヘッド。
【請求項２】
前記可動部は、前記半固定サスペンションを構成する２本のサスペンションそれぞれの端部が接する部分に、該端部を包んだ導電性の粘性材料からなる保持部材を備えたものであることを特徴とする請求項１記載の光磁気ヘッド。
【請求項３】
前記可動部が、前記保持部材を覆うカバー部材を備えたものであることを特徴とする請求項２記載の光磁気ヘッド。
【請求項４】
前記固定サスペンションを構成する４本のサスペンションそれぞれが、互いに同じ材料からなる、互いに同じ太さを有するものであり、
前記半固定サスペンションを構成する２本のサスペンションがともに、前記材料と同じ材料からなる、前記固定サスペンションを構成する４本のサスペンションよりも細いものであることを特徴とする請求項１記載の光磁気ヘッド。
【請求項５】
光の照射および磁場の印加を受けることで情報を記録する光磁気記録媒体に対し、光の照射および磁場の印加によって少なくとも情報の記録を行う光磁気記録装置において、
光を発する光源と、
前記光磁気記録媒体に、前記光源が発した光の照射、および所定の磁界制御電流に基づく磁場の印加を行う光磁気ヘッドと、
記録する情報に基づいて前記磁界制御電流を生成する磁界制御電流生成部とを備え、
前記光磁気ヘッドが、
ベースとなる固定部と、
前記光磁気記録媒体に光の照射および前記磁界制御電流に基づく磁場の印加を行うコイルレンズが配備され、該光磁気記録媒体の面に沿うトラック方向に所定のトラッキング電流に基づいて移動するとともに、該面に交わるフォーカス方向に所定のフォーカシング電流に基づいて移動する可動部と、
各一端が前記固定部に遊動不能に接し、該各一端に対する各他端が前記可動部に遊動不能に接する、該可動部を支持する４本のサスペンションからなる固定サスペンションと、
各一端が前記固定部に遊動不能に接し、該各一端に対する各他端が前記可動部に遊動可能に接する２本のサスペンションからなる半固定サスペンションとを有し、
前記固定サスペンションを構成する４本のサスペンションのうち、所定の２本の第１サスペンションは、前記トラッキング電流、前記フォーカシング電流、および前記磁界制御電流の３種類の電流のうちいずれか１種類の電流が流れるものであって、残りの２本の第２サスペンションは、該３種類の電流から該第１サスペンションに流れる電流を除いた２種類の電流のうちいずれか一方の電流が流れるものであり、
前記半固定サスペンションを構成する２本のサスペンションは、前記２種類の電流から前記第２サスペンションに流れる電流を除いて残った電流が流れるものであることを特徴とする光磁気記録装置。
【発明の詳細な説明】
【０００１】
【発明の属する技術分野】
本発明は、光の照射および磁場の印加を受けることで情報を記録する光磁気記録媒体に光の照射および磁場の印加を行う光磁気ヘッド、および上記光磁気記録媒体に対し、光の照射および磁場の印加によって少なくとも情報の記録を行う光磁気記録装置に関する。
【０００２】
【従来の技術】
従来より、音声信号や画像信号を記録する大容量の可換型記録媒体として、ＣＤ，ＣＤ−ＲＯＭ，ＣＤ−Ｒ，ＤＶＤ，ＰＤ，ＭＯ，ＭＤ等といった情報記録媒体が広く使われている。特に、光と磁場で情報アクセスが行われる光磁気記録媒体は、情報の書き換えが可能な高密度記録媒体として注目されている。このような光磁気記録媒体は、基板と、その基板の上に積層された、磁性を有する記録層を備えており、さらなる高記録密度化などのために盛んに研究開発が行われている。また、そのような光磁気記録媒体に対する情報記録や情報再生をより高速に行うための光磁気記録装置の研究開発もさかんに行われている。
【０００３】
従来の光磁気記録装置では、情報に応じた光変調によって記録媒体に情報を記録する光変調方式が採用されているが、高記録密度化に伴い、従来の光変調方式に替えて、情報に応じた磁界変調によって情報を記録する磁界変調方式を採用する傾向が生じている。磁界変調方式を採用した一般的な光磁気記録装置では、磁気コイルを用いて、変調された磁界を発生させる。
【０００４】
磁界変調方式を用いた光磁気記録装置は、記録媒体を回転させながら、記録用のレーザ光を記録媒体の記録層に集光することにより、記録層の温度をキューリー点に近づけ、その状態で、磁気コイルによって発生させた磁界を記録層に印加することにより記録層の磁化方向を情報に応じた方向に向けて情報を記録する。
【０００５】
このような磁界変調方式を用いた光磁気記録装置では、記録媒体に光を集光する光学系と、磁界を発生させる磁気コイルを、記録媒体から見て同一の側に配置する構成を有する必要が生じ、ベースとなる固定部と、記録媒体の表面に対向する可動部とを備えたヘッドの、その可動部に、記録媒体に光を集光する光学系とともに磁気コイルも一緒に搭載したものが提案されている。また、大容量データの記録をより高速に実行するためには、光学系と磁気コイルとを搭載した可動部を有する光磁気ヘッドを記録媒体の基板側ではなく記録層側に配置することが望ましい。
【０００６】
ところで、ヘッドのピックアップの方式は、「スライダ方式」と「近接アクチュエータ方式」との２つに大別される。「スライダ方式」は、記録媒体の回転によって生じる浮揚力によって可動部を浮上させ、記録媒体と可動部の間隔をパッシブに保つ方式である。可動部の浮上量は、数百ｎｍ〜数μｍの範囲に設定される。一方、「近接アクチュエータ方式」は、記録媒体と可動部の間隔が数十μｍ程度になるように両者の間隔をアクティブに保つ方式である。ここで、光磁気記録装置は、情報の記録を、可換型の記録媒体に対して行うものであるため、可動部と装填された記録媒体の間に塵埃が入り込みやすく、スライダ方式を採用したヘッドでは、可動部の浮上量が数百ｎｍ〜数μｍ程度とわずかであるため、塵埃が可動部と記録媒体との間に挟まれてしまうことがある。可動部と記録媒体との間に塵埃を挟んだ状態で記録媒体を回転させると、可動部に搭載された光学系や記録媒体が傷つく恐れがある。一方、近接アクチュエータ方式を採用したヘッドでは、記録媒体と可動部との間隔が数十μｍ程度と比較的離れているため、塵埃は、可動部と記録媒体との間に挟まれず、可動部の光学系や記録媒体が傷つきにくい。このようなことから、どちらの方式にも一長一短はあるものの、対塵埃的な面からみると、ヘッドのピックアップの方式は、「スライダ方式」よりも「近接アクチュエータ方式」の方が好ましい。
【０００７】
特許文献１には、記録媒体の記録層側に配置した、近接アクチュエータ方式を採用した光磁気ヘッドが記載されている。この特許文献１に記載された光磁気ヘッドの可動部には、集光レンズが、磁界制御電流に基づく磁場の印加を行う渦巻き状の磁気コイルの中心に配備されている。また、このような光磁気ヘッドに限らず、近接アクチュエータ方式を採用したヘッドでは、通常、可動部に、トラッキングを行うためのトラッキング駆動機構と、集光レンズによる集光スポットのフォーカスを調製するフォーカシング駆動機構を配備する。これらの駆動機構はいずれも、制御電流によって制御される。特許文献２には、近接アクチュエータ方式を採用したヘッドの可動部を、４本のサスペンションによって固定部側から支持する技術が開示されており、可動部の駆動性や光磁気ヘッドのコスト面からみて、このように、４本のサスペンションによって可動部を支持することが妥当である。また、この特許文献２に示された４本のサスペンションは、トラッキング駆動機構と、フォーカシング駆動機構それぞれに制御電流を送る電流経路の役目も兼ねており、電気的信頼性が高い。
【０００８】
【特許文献１】
特開平３−１３０９５１号公報
【特許文献２】
特開昭６０−３５３４２号公報
【０００９】
【発明が解決しようとする課題】
ところが、特許文献２に記載された技術では、可動部を支持するサスペンションを用いて最大２系統の制御電流しか流すことができない。集光レンズの他に磁気コイルを有する可動部を備えた光磁気ヘッドでは、その磁気コイルに磁界制御電流を供給する必要があり、このため、可動部には、トラッキング制御電流、フォーカシング制御電流、および磁界制御電流からなる３系統の制御電流を通電する必要がある。このため、特許文献２に記載された技術では、制御電流の経路不足が生じる。ここで単純に、２本のサスペンションを追加し、合計６本のサスペンションで可動部を支持することが考えられる。こうすることにより、それら追加したサスペンションに残り１系統の制御電流を通電することができ、制御電流の経路不足の問題は解消される。しかしながら、可動部を支持するサスペンションの本数が４本から６本に増加すると、サスペンションの本数が４本のときの可動部の駆動性と同レベルの駆動性を確保するために、サスペンションの形状公差や取付公差が厳しくなり、生産性の面から必ずしも得策とは言えない。
【００１０】
本発明は、上記事情に鑑み、サスペンションの形状公差や取付公差を４本のサスペンションのときのそれらの公差に保ったまま、３系統の制御電流を可動部に供給することができる光磁気ヘッド、およびそのような光磁気ヘッドを有する光磁気記録装置を提供することを目的とする。
【００１１】
【課題を解決するための手段】
上記目的を達成する本発明のうちの光磁気ヘッドは、光の照射および磁場の印加を受けることで情報を記録する光磁気記録媒体に光の照射および磁場の印加を行う光磁気ヘッドにおいて、
ベースとなる固定部と、
上記光磁気記録媒体に光の照射および所定の磁界制御電流に基づく磁場の印加を行うコイルレンズが配備され、その光磁気記録媒体の面に沿うトラック方向に所定のトラッキング電流に基づいて移動するとともに、その面に交わるフォーカス方向に所定のフォーカシング電流に基づいて移動する可動部と、
各一端が上記固定部に遊動不能に接し、その各一端に対する各他端が上記可動部に遊動不能に接する、その可動部を支持する４本のサスペンションからなる固定サスペンションと、
各一端が上記固定部に遊動不能に接し、その各一端に対する各他端が上記可動部に遊動可能に接する２本のサスペンションからなる半固定サスペンションとを備え、
上記固定サスペンションを構成する４本のサスペンションのうち、所定の２本の第１サスペンションは、上記トラッキング電流、上記フォーカシング電流、および上記磁界制御電流の３種類の電流のうちいずれか１種類の電流が流れるものであって、残りの２本の第２サスペンションは、その３種類の電流からその第１サスペンションに流れる電流を除いた２種類の電流のうちいずれか一方の電流が流れるものであり、
上記半固定サスペンションを構成する２本のサスペンションは、上記２種類の電流から上記第２サスペンションに流れる電流を除いて残った電流が流れるものであることを特徴とする。
【００１２】
本発明の光磁気ヘッドによれば、上記固定サスペンションを構成する４本のサスペンションにより支持され上記可動部に、上記固定サスペンションを構成する４本のサスペンションと、上記半固定サスペンションを構成する２本のサスペンションとの合計６本のサスペンションによって、３系統の制御電流を供給することができる。また、上記半固定サスペンションを構成する２本のサスペンションの、上記可動部側の端部が遊動することにより、これら２本のサスペンションの形状誤差や取付誤差は吸収される。そのため、サスペンションの形状公差や取付公差を４本のサスペンションのときのそれらの公差に保つことができる。
【００１３】
また、本発明の光磁気ヘッドにおいて、上記可動部は、上記半固定サスペンションを構成する２本のサスペンションそれぞれの端部が接する部分に、その端部を包んだ導電性の粘性材料からなる保持部材を備えたものであることが好ましい。
【００１４】
こうすることで、上記半固定サスペンションを構成する２本のサスペンションの、上記可動部側の端部は、上記保持部材によって遊動可能に柔支持され、これら２本のサスペンションの形状誤差や取付誤差をより確実に吸収することができる。
【００１５】
さらに、本発明の光磁気ヘッドにおいて、上記可動部が、上記保持部材を覆うカバー部材を備えたものであることがより好ましい。
【００１６】
上記半固定サスペンションを構成する２本のサスペンションの端部を遊動可能に柔支持する観点から見れば、上記保持部材の流動性は、高ければ高いほどよい。しかしながら、上記保持部材の流動性が高くなればなるほど、上記保持部材は、上記半固定サスペンションを構成する２本のサスペンションの端部を包んでおくことが困難になる。このため、上記カバー部材によって、上記保持部材を、上記可動部の、これら２本のサスペンションの端部が接する位置に留めさせておくことが好ましい。
【００１７】
また、本発明の光磁気ヘッドにおいて、上記固定サスペンションを構成する４本のサスペンションそれぞれが、互いに同じ材料からなる、互いに同じ太さを有するものであり、
上記半固定サスペンションを構成する２本のサスペンションがともに、上記材料と同じ材料からなる、上記固定サスペンションを構成する４本のサスペンションよりも細いものであることも好ましい態様の一つである。
【００１８】
この態様では、上記半固定サスペンションを構成する２本のサスペンションは、上記固定サスペンションの各サスペンションよりもバネ性に優れていることになり、上記可動部の移動に起因する、これら２本のサスペンションからの不要な反力の発生がより抑えられ、半固定サスペンションを設けたことによる上記可動部の駆動性の低下が防止される。
【００１９】
上記目的を達成する本発明のうちの光磁気記録装置は、光の照射および磁場の印加を受けることで情報を記録する光磁気記録媒体に対し、光の照射および磁場の印加によって少なくとも情報の記録を行う光磁気記録装置において、
光を発する光源と、
上記光磁気記録媒体に、上記光源が発した光の照射、および所定の磁界制御電流に基づく磁場の印加を行う光磁気ヘッドと、
記録する情報に基づいて上記磁界制御電流を生成する磁界制御電流生成部とを備え、
上記光磁気ヘッドが、
ベースとなる固定部と、
上記光磁気記録媒体に光の照射および上記磁界制御電流に基づく磁場の印加を行うコイルレンズが配備され、その光磁気記録媒体の面に沿うトラック方向に所定のトラッキング電流に基づいて移動するとともに、その面に交わるフォーカス方向に所定のフォーカシング電流に基づいて移動する可動部と、
各一端が上記固定部に遊動不能に接し、その各一端に対する各他端が上記可動部に遊動不能に接する、その可動部を支持する４本のサスペンションからなる固定サスペンションと、
各一端が上記固定部に遊動不能に接し、その各一端に対する各他端が上記可動部に遊動可能に接する２本のサスペンションからなる半固定サスペンションとを有し、
上記固定サスペンションを構成する４本のサスペンションのうち、所定の２本の第１サスペンションは、上記トラッキング電流、上記フォーカシング電流、および上記磁界制御電流の３種類の電流のうちいずれか１種類の電流が流れるものであって、残りの２本の第２サスペンションは、その３種類の電流からその第１サスペンションに流れる電流を除いた２種類の電流のうちいずれか一方の電流が流れるものであり、
上記半固定サスペンションを構成する２本のサスペンションは、上記２種類の電流から上記第２サスペンションに流れる電流を除いて残った電流が流れるものであることを特徴とする。
【００２０】
【発明の実施の形態】
以下、本発明の実施形態について説明する。
【００２１】
図１は、本発明の光磁気ヘッドの一実施形態が組み込まれた、本発明の光磁気記憶装置の一実施形態の外観を表す斜視図である。
【００２２】
ここに例示した光磁気記憶装置１００には、光磁気記憶装置１００の土台となるアルミニウム合金製のドライブベース１１０が備えられており、ドライブベース１１０はフレーム１３０に取り付けられている。また、ドライブベース１１０には、トップカバー１４０およびボトムカバー（図示省略）がそれぞれねじ止めされている。
【００２３】
フレーム１３０には、フロントパネル１６０が取り付けられており、このフロントパネル１６０には、光磁気（ＭＯ）ディスクを内蔵したＭＯディスクカートリッジが光磁気記憶装置１００内に挿入されるための挿入口１６１が設けられている。
【００２４】
光磁気記録装置１００の、フロントパネル１６０が取り付けられた前端に対する後端には、光磁気記録装置１００をコンピュータ等といった機器と電気的に接続するためのコネクタ１７０が搭載されている。
【００２５】
光磁気記録装置１００の内部には、ＭＯディスクを保持して回転させるスピンドルモータや、ＭＯディスクに対して光の照射や磁場の印加を行って情報の記録や再生を行う光磁気ヘッドが搭載されている。
【００２６】
図２は、図１に示す光磁気記録装置の内部構造の一部を表す斜視図である。
【００２７】
この図２には、図１に示す挿入口１６１から挿入されたＭＯディスクカートリッジに内蔵されたＭＯディスク２４０が示されている。ＭＯディスク２４０には、全体が１本の螺旋状に繋がった多数周のトラックが設けられており、このトラックに沿って情報が１次元的に記録される。また、この図２では、スピンドルモータが図示省略されている。
【００２８】
図１に示す光磁気記録装置１００は、ＭＯディスク２４０の半径方向に移動自在な移動アセンブリ１９０と、図１に示すドライブベース１１０に固定される固定アセンブリ２００とを有する。
【００２９】
固定アセンブリ２００には、情報の読み書きに用いられるレーザ光を発生するレーザダイオード２０２と、ＭＯディスク２４０が反射した光に含まれている、ＭＯディスク２４０に記憶されている情報に応じた信号（ＭＯ信号）を検出する光検出器２０３と、ＭＯディスクのトラックに対する集光スポットのずれを検出するための光検出器２０４と、集光スポットのフォーカスのずれを検出するための光検出器２０５が取り付けられている。図１に示す光磁気記録装置１００は、集光スポットのずれを検出するための光検出器２０４によって検出されたずれに基づいてトラッキング制御電流を生成する。また、図１に示す光磁気記録装置１００は、フォーカスのずれを検出するための光検出器２０５によって検出されたずれに基づいてフォーカシング制御電流も生成する。
【００３０】
移動アセンブリ１９０は、一対の磁気回路２５０によって駆動され、一対のガイドレール２６０に沿ってＭＯディスク２４０の半径方向に移動する。移動アセンブリ１９０上には、光磁気ヘッド３００が搭載されている。光磁気ヘッド３００には、集光レンズや磁気コイル等が配備されているが、詳しい説明は、後述することにする。
【００３１】
また、移動アセンブリ１９０には、断面が四角形の筒口１９２が設けられており、固定アセンブリ２００のレーザダイオード２０２によって発せられたレーザ光がこの筒口１９２から移動アセンブリ１９０内に入る。また、ＭＯディスク２４０が反射した光がこの筒口１９２から固定アセンブリ２００に戻る。さらに、移動アセンブリ１９０内の、筒口１９２の奥には、筒口１９２から入ったレーザ光を、光磁気ヘッドに配備された集光レンズに入射させる立ち上げミラーも内蔵されている。
【００３２】
ここで、図３を用いて、図１に示す光磁気記録装置１００における情報の記録・再生時の、光磁気ヘッド３００に配備された磁気コイル、レーザダイオード２０２、およびＭＯ信号を検出する光検出器２０３の制御について簡単に説明する。
【００３３】
図３は、図１に示す光磁気記録装置のハードウェア構成の一部を簡単に示した図である。
【００３４】
図１に示す光磁気記録装置１００における情報記録時には、ホスト装置からインタフェイス１１を介して記録データが光ディスクコントローラ１２およびデジタルシグナルプロセッサ（Ｄｉｇｉｔａｌ  Ｓｉｇｎａｌ  Ｐｒｏｃｅｓｓｏｒ：ＤＳＰ）１３に送られてくる。その記録データは、光ディスクコントローラ１２によって、シンクバイト、ＶＦＯ、エラーコレクションコードなどが付加されてライトＬＳＩ回路１４に入力される。この記録データは、ライトＬＳＩ回路１４によって書込信号に変換され、その書込信号は、図２にも示すレーザダイオード２０２に送られる。レーザダイオード２０２からは、書込信号に応じたレーザ光が発せられる。
【００３５】
また、この情報記録時には、ＤＳＰ１３が、記録データに応じた記録磁界制御電流を生成する。光磁気ヘッドに備えられた磁気コイル３３１１には、この記録磁界制御電流が供給される。磁気コイル３３１１は、記録磁界制御電流に基づく記録磁界を、ＭＯディスクのトラック上に発生させる。そして、この記録磁界と、上述した書込信号に応じたレーザ光によってＭＯディスクに情報が記録される。なお、情報消去時には、所定の向きの消去磁界が発生されて情報が消去される。
【００３６】
一方、図１に示す光磁気記録装置１００における情報再生時には、レーザダイオード２０２から所定強度のレーザ光が発せられる。レーザダイオード２０２から発せられたレーザ光は、ＭＯディスク上に照射され、ＭＯディスクに記録されている情報に応じた反射光を生じる。その反射光に含まれているＭＯ信号は、図２に示す光検出器２０３によって検出される。また、その反射光にはＩＤ信号も含まれており、このＩＤ信号も別途検出される。それぞれ検出されたＭＯ信号およびＩＤ信号は、リードＬＳＩ回路１５に入力される。これらのＭＯ信号およびＩＤ信号は、リードＬＳＩ回路１５によって再生データに変換され、その再生データは、光ディスクコントローラ１２によってエラーチェックを受けたうえで、インターフェース１１を介してホスト装置へと送られる。なお、再生磁場の下で、再生用のレーザ光を照射させてもよい。この場合は、ＤＳＰ１３が、再生磁界制御電流を生成し、光磁気ヘッド３００に備えられた磁気コイル３３１１に、その再生磁界制御電流を供給する。磁気コイル３３１１は、再生磁界制御電流に基づく再生磁界を、ＭＯディスクのトラック上に発生させ、再生用のレーザ光は、再生磁場の下で、ＭＯディスク上に照射される。
【００３７】
図４は、図１に示す光磁気記録装置に備えられた光磁気ヘッドの外観を示す斜視図である。
【００３８】
図４に示す光磁気ヘッド３００は、固定部３１０、固定サスペンション３２０、可動部３３０、磁気回路３４０、および半固定サスペンション３５０を備えている。固定部３１０は、この光磁気ヘッドのベースに相当するものであり、図２に示す移動アセンブリ１９０に固定されている。固定サスペンション３２０は、４本のサスペンション３２１からなるものである。これら４本のサスペンション３２１は、互いに平行関係を保って直線状に延びる導体であり、バネ性に優れるものである。具体的には、いずれのサスペンション３２１も、銅合金（ベリリウム銅合金，リン青銅合金等）からなるものである。また、各サスペンション３２１は、互いに同じ太さを有するものである。このような各サスペンション３２１の一端は、固定部３１０に接着されており、それら一端に対する他端は、可動部３３０の四隅に接着されている。すなわち、各サスペンション３２１の一端は遊動不能に固定部３１０に接し、他端は遊動不能に可動部３３０に接している。したがって、各サスペンション３２１の両端は完全固定されており、可動部３３０は、これら４本のサスペンション３２１により支持されている。なお、固定サスペンション３２０を構成する４本のサスペンション３２１と、固定部３１０の、これら４本のサスペンション３２１が接する部分と、可動部３３０の、これら４本のサスペンション３２１が接する部分を一体成形してもよい。
【００３９】
可動部３３０は、これら４本のサスペンション３２１の延在方向を長手方向にするものであり、可動部３３０の、この長手方向の中央には、レンズユニット３３１が配備されている。レンズユニット３３１には、磁界変調用の磁気コイル（以下、ＭＦＭコイルと称する）３３１１と集光レンズ（不図示）が組み込まれている。この集光レンズは、図２に示すレーザダイオード２０２から発せられたレーザ光を、ＭＯディスクのトラックに集光するものである。ＭＦＭコイル３３１１は空心巻きに周回した環状コイルである。このＭＦＭコイル３３１１には、固定部３１０側から磁界制御電流が供給され、ＭＦＭコイル３３１１は、ＭＯディスクのトラック上に、供給された磁界制御電流に基づく磁界を発生させる。集光レンズを通過したレーザ光は、ＭＦＭコイル３３１１の中心からＭＯディスクの表面に向けて照射される。この図４では、ＭＯディスクが、光磁気ヘッド３００の上方に、レンズユニット３３１に対面するように位置し、レンズユニット３３１が設けられた側が、この光磁気ヘッド３００の前面になる。ＭＦＭコイル３３１１は、磁界制御電流に基づき、レーザ光の集光スポットにおよそ２００Ｏｅ以上の磁界を発生させる。
【００４０】
図４に示す可動部３３０は、集光レンズによる集光スポットのフォーカス調製のために、図に示す矢印Ｆ方向（以下、フォーカス方向と称する）に移動自在なものであり、トラッキング調製のために、図に示す矢印Ｔ方向（以下、トラック方向と称する）にも移動自在なものである。このような可動部３３０の長手方向の両側それぞれには、磁気回路３４０が構成されている。この磁気回路３４０は、一対の対向するヨーク３４１と、その一対の対向するヨーク３４１のうちの外側のヨーク３４１１に配備された磁石３４２とで構成されている。一対の対向するヨーク３４１は、光磁気ヘッド３００の後面側で磁気的に接続されており、一方のヨークから他方のヨークに向けて磁束が流れる。可動部３３０は、このような磁気回路３４０の空隙部に配備されたフォーカスコイル３３２とトラックコイル３３３を備えている。フォーカスコイル３３２は、一対の対向するヨーク３４１のうちの内側のヨーク３４１２を取り囲むように配備されたものであり、このフォーカスコイル３３２には、固定部３１０側からフォーカシング制御電流が供給される。フォーカスコイル３３２は、フォーカシング制御電流に基づく、フォーカス方向（矢印Ｆ参照）の磁気モーメントを発生する。可動部３３０は、この磁気モーメントによりフォーカス方向に移動し、フォーカス方向のずれが是正される。トラックコイル３３３は、フォーカスコイル３３２の、磁石３４２の面に配備された１対のコイルであり、このトラックコイル３３３には、固定部３１０側からトラッキング制御電流が供給される。トラックコイル３３３は、トラッキング制御電流に基づく、トラック方向（矢印Ｔ参照）の磁気モーメントを発生する。可動部３３０は、この磁気モーメントによりトラック方向に移動し、トラック方向のずれが是正される。
【００４１】
半固定サスペンション３５０は、２本のサスペンション３５１からなるものであり、これら２本のサスペンション３５１は、固定サスペンション３２０の延在方向と同じ方向に向けて、互いに平行関係を保って延びるものである。また、これら２本のサスペンション３５１はいずれも、固定サスペンション３２０と同じ材料からなるものであるが、固定サスペンション３２０の各サスペンションの太さよりも細い。したがって、これら２本のサスペンション３５１はいずれも、固定サスペンション３２０の各サスペンション３２１よりも、バネ性に優れている。このような、２本のサスペンション３５１の一端はいずれも、固定部３１０に接着されており、固定部３１０に遊動不能に接しているが、それら一端に対する他端は、固定部３１０に遊動可能に接している。
【００４２】
図５は、可動部の、半固定サスペンションを構成する２本のサスペンションのうちの一方のサスペンションが接する部分を示す図である。
【００４３】
可動部３３０は、半固定サスペンションを構成する２本のサスペンション３５１が接する部分に、保持部材３３４を備えている。可動部３３０の長手方向中央の側面には切欠溝３３５が設けられており、その切欠溝３３５の奥には、フォーカスコイル３３２と電気的に接続した電極３３６が設けられている。保持部材３３４は、その切欠溝３３５に充填された導電性の粘性材料からなるものである。半固定サスペンションを構成する２本のサスペンション３５１の、可動部３３０側の端部は、この保持部材３３４によって包まれており、その切欠溝３３５内で遊動可能に柔支持されている。したがって、これら２本のサスペンション３５１の形状誤差や取付誤差は、各サスペンション３５１の、可動部３３０側の端部が、この保持部材３３４の中で遊動することにより吸収され、これら２本のサスペンション３５１を設けたことによる、光磁気ヘッド１００の生産性の低下は見られない。また、これら２本のサスペンション３５１は、固定サスペンション３２０の各サスペンション３２１よりもバネ性に優れているため、可動部１０の移動に起因する、これら２本のサスペンション３５１からの不要な反力の発生は抑えられており、可動部３２０の駆動性の低下も見られない。
【００４４】
保持部材３３４となる粘性材料は、なるべく流動性が高い（粘性抵抗が低い）ものが好ましいが、流動性が高くなればなるほど、切欠溝３３５に充填された粘性材料はその切欠溝３３５から流出しやすくなる。このため、可動部３３０には、保持部材３３４を覆うカバー部材３３７が配備されており、粘性材料を切欠溝３３５に保持することの信頼性が高められている。
【００４５】
続いて、可動部３３０の、各サスペンション３２１，３５１との接触位置について説明する。
【００４６】
図６は、可動部に関し、固定サスペンションを構成する各サスペンションとの接触位置、半固定サスペンションを構成する各サスペンションとの接触位置、および重心の位置関係を模式的に示す図である。
【００４７】
この図６では、図の上下方向がフォーカス方向（矢印Ｆ参照）となり、図の左右方向がトラック方向（矢印Ｔ参照）になる。図６に示す可動部３３０は、図４に示す可動部３３０を、長手方向中央で断面したときのものであって、図６においては、左上、左下、右上、および右下の４隅を有する。図６に示す可動部３３０のこれらの４隅それぞれには、固定サスペンションを構成する各サスペンション３２１が接している。ここで、固定サスペンション３２０を構成するうちの、フォーカス方向に隣りあうサスペンション３２１はトラック方向に互いに揃えられており、トラック方向に隣りあうサスペンション３２１は、フォーカス方向に互いに揃えられている。また、図６に示す可動部３３０の、フォーカス方向に隣りあう２隅のちょうど中間には、半固定サスペンションを構成するサスペンション３５１が接している。すなわち、図６に示す可動部３３０の、フォーカス方向に隣りあう２隅の間に、半固定サスペンションを構成するサスペンション３５１が位置しており、各サスペンション３５１は、図４に示すレンズユニット３３１を遮ることなく、バランスよく配備されている。半固定サスペンション３５０を構成する一方のサスペンション３５１の、可動部３３０に接触する端部と、もう一方のサスペンション３５１の、可動部３３０に接触する端部とを結ぶ直線Ｌの中央は、可動部重心３３０ｇになっている。すなわち、可動部重心３３０ｇは、半固定サスペンションを構成する２本のサスペンション３５１をともに含む平面上に位置している。さらに、可動部３３０が、トラック方向に移動する際の作用点や、フォーカス方向に移動する際の作用点は、この可動部重心３３０ｇに一致している。
【００４８】
図６には、トラッキング制御が行われ、可動部３３０が図の左から右に向かって移動する力（矢印Ｍ方向の力）を受けた場合に、可動部３３０の、各サスペンション３２１，３５１の接触位置に生じる反力の向きが矢印Ｒで示されている。可動部３３０の、各サスペンション３２１，３５１との接触位置には、いずれも偶力が生じておらず、可動部３３０に傾き（チルト）が生じることが防止されている。
【００４９】
次に、図２にそれぞれ示す、フォーカスコイル３３２、トラックコイル３３３、およびＭＦＭコイル３３１１への制御電流の通電について説明する。
【００５０】
まず、フォーカスコイル３３２へのフォーカシング制御電流の通電には、半固定サスペンション３５０を構成する２本のサスペンション３５１が用いられる。すなわち、フォーカシング制御電流は、半固定サスペンション３５０を構成するサスペンション３５１→保持部材３２４→電極３２６の経路を通って、フォーカスコイル３３２に送られる。ここで、半固定サスペンション３５０を構成するサスペンション３５１の、可動部３３０側の端部は、電極３２６に直接接触しておらず、保持部材３２４を介して接触している。保持部材３２４の体積抵抗率は、銅合金からなるこのサスペンション３５１の体積抵抗率に比べて大きいが、このサスペンション３５１の、可動部３３０側の端部と電極３２６との距離は、数百μｍ程度と十分に短く、この端部と電極３２６との間に保持部材３２４が介在することはさほど問題にならない。しかも、フォーカシング制御電流は、数ｋＨｚ程度の電流であり、トラッキング制御電流や磁界制御電流に比べ、低周波の電流であるため、保持部材３２４が介在することによる幾ばくかの電気的な特性劣化の影響を受けにくい。
【００５１】
トラックコイル３３３へのトラッキング制御電流の通電には、固定サスペンション３２０を構成する４本のサスペンション３２１のうちの、光磁気ヘッド３００の後面側に位置する１対のサスペンション３２１が用いられる。この１対のサスペンション３２１それぞれの、可動部３３０側の端部は、トラックコイル３３３に電気的に接続する電極に直接接触している。また、ＭＦＭコイル３３１１への磁界制御電流の通電には、固定サスペンション３２０を構成する４本のサスペンション３２１のうち、残った１対のサスペンション３２１、すなわち、光磁気ヘッド３００の前面側に位置する１対のサスペンション３２１が用いられる。この、前面側の１対のサスペンション３２１それぞれの、可動部３３０側の端部は、ＭＦＭコイル３３１１に電気的に接続する電極に直接接触している。
【００５２】
なお、各制御電流の通電経路は、ここで説明したような組合せに限らない。
【００５３】
以下、本発明の各種態様を付記する。
【００５４】
（付記１）  光の照射および磁場の印加を受けることで情報を記録する光磁気記録媒体に光の照射および磁場の印加を行う光磁気ヘッドにおいて、
ベースとなる固定部と、
前記光磁気記録媒体に光の照射および所定の磁界制御電流に基づく磁場の印加を行うコイルレンズが配備され、該光磁気記録媒体の面に沿うトラック方向に所定のトラッキング電流に基づいて移動するとともに、該面に交わるフォーカス方向に所定のフォーカシング電流に基づいて移動する可動部と、
各一端が前記固定部に遊動不能に接し、該各一端に対する各他端が前記可動部に遊動不能に接する、該可動部を支持する４本のサスペンションからなる固定サスペンションと、
各一端が前記固定部に遊動不能に接し、該各一端に対する各他端が前記可動部に遊動可能に接する２本のサスペンションからなる半固定サスペンションとを備え、
前記固定サスペンションを構成する４本のサスペンションのうち、所定の２本の第１サスペンションは、前記トラッキング電流、前記フォーカシング電流、および前記磁界制御電流の３種類の電流のうちいずれか１種類の電流が流れるものであって、残りの２本の第２サスペンションは、該３種類の電流から該第１サスペンションに流れる電流を除いた２種類の電流のうちいずれか一方の電流が流れるものであり、
前記半固定サスペンションを構成する２本のサスペンションは、前記２種類の電流から前記第２サスペンションに流れる電流を除いて残った電流が流れるものであることを特徴とする光磁気ヘッド。
【００５５】
（付記２）  前記可動部は、前記半固定サスペンションを構成する２本のサスペンションそれぞれの端部が接する部分に、該端部を包んだ導電性の粘性材料からなる保持部材を備えたものであることを特徴とする付記１記載の光磁気ヘッド。
【００５６】
（付記３）  前記可動部が、前記保持部材を覆うカバー部材を備えたものであることを特徴とする付記２記載の光磁気ヘッド。
【００５７】
（付記４）  前記固定サスペンションを構成する４本のサスペンションそれぞれが、互いに同じ材料からなる、互いに同じ太さを有するものであり、
前記半固定サスペンションを構成する２本のサスペンションがともに、前記材料と同じ材料からなる、前記固定サスペンションを構成する４本のサスペンションよりも細いものであることを特徴とする付記１記載の光磁気ヘッド。
【００５８】
（付記５）  前記固定サスペンションを構成する４本のサスペンションが、前記固定部から互いに平行関係を保って延在し、前記可動部を取り巻く４隅で該可動部に接するものであり、
前記半固定サスペンションを構成する各サスペンションが、前記固定部から前記固定サスペンションと平行関係を保って延在し、前記４隅のうち隣り合う２隅の間で可動部に接するものであることを特徴とする付記１記載の光磁気ヘッド。
【００５９】
（付記６）  前記固定サスペンションを構成する４本のサスペンションが、前記固定部から互いに平行関係を保って延在し、前記フォーカス方向を上下方向と観念し、前記トラック方向を左右方向と観念した場合、該可動部に、左上、左下、右上、および右下の４隅で接するものであり、
前記半固定サスペンションを構成する各サスペンションが、前記固定部から前記固定サスペンションと平行関係を保って延在し、前記４隅のうち、上下方向に隣り合う２隅の間で可動部に接するものであることを特徴とする付記１記載の光磁気ヘッド。
【００６０】
（付記７）  前記固定サスペンションを構成する４本のサスペンションが、前記固定部から互いに平行関係を保って延在し、前記フォーカス方向を上下方向と観念し、前記トラック方向を左右方向と観念した場合、該可動部に、左上、左下、右上、および右下の４隅で接するものであり、
前記半固定サスペンションを構成する各サスペンションが、前記固定部から前記固定サスペンションと平行関係を保って延在し、前記４隅のうち、上下方向に隣り合う２隅の中央で可動部に接するものであることを特徴とする付記１記載の光磁気ヘッド。
【００６１】
（付記８）  前記固定サスペンションを構成する４本のサスペンションが、前記固定部から互いに平行関係を保って延在し、前記フォーカス方向を上下方向と観念し、前記トラック方向を左右方向と観念した場合、該可動部に、左上、左下、右上、および右下の４隅で接するものであり、
前記半固定サスペンションを構成する各サスペンションが、前記固定部から前記固定サスペンションと平行関係を保って延在し、前記４隅のうち、上下方向に隣り合う２隅の中央で可動部に接するものであり、
前記可動部は、該可動部の重心が、前記半固定サスペンションを構成する２本のサスペンションをともに含む平面上に位置しているものであることを特徴とする付記１記載の光磁気ヘッド。
【００６２】
（付記９）  光の照射および磁場の印加を受けることで情報を記録する光磁気記録媒体に対し、光の照射および磁場の印加によって少なくとも情報の記録を行う光磁気記録装置において、
光を発する光源と、
前記光磁気記録媒体に、前記光源が発した光の照射、および所定の磁界制御電流に基づく磁場の印加を行う光磁気ヘッドと、
記録する情報に基づいて前記磁界制御電流を生成する磁界制御電流生成部とを備え、
前記光磁気ヘッドが、
ベースとなる固定部と、
前記光磁気記録媒体に光の照射および前記磁界制御電流に基づく磁場の印加を行うコイルレンズが配備され、該光磁気記録媒体の面に沿うトラック方向に所定のトラッキング電流に基づいて移動するとともに、該面に交わるフィーカス方向に所定のフォーカシング電流に基づいて移動する可動部と、
各一端が前記固定部に遊動不能に接し、該各一端に対する各他端が前記可動部に遊動不能に接する、該可動部を支持する４本のサスペンションからなる固定サスペンションと、
各一端が前記固定部に遊動不能に接し、該各一端に対する各他端が前記可動部に遊動可能に接する２本のサスペンションからなる半固定サスペンションとを有し、
前記固定サスペンションを構成する４本のサスペンションのうち、所定の２本の第１サスペンションは、前記トラッキング電流、前記フォーカシング電流、および前記磁界制御電流の３種類の電流のうちいずれか１種類の電流が流れるものであって、残りの２本の第２サスペンションは、該３種類の電流から該第１サスペンションに流れる電流を除いた２種類の電流のうちいずれか一方の電流が流れるものであり、
前記半固定サスペンションを構成する２本のサスペンションは、前記２種類の電流から前記第２サスペンションに流れる電流を除いて残った電流が流れるものであることを特徴とする光磁気記録装置。
【００６３】
【発明の効果】
以上、説明したように、本発明によれば、サスペンションの形状公差や取付公差を４本のサスペンションのときのそれらの公差に保ったまま、３系統の制御電流を可動部に供給することができる光磁気ヘッド、およびそのような光磁気ヘッドを有する光磁気記録装置を提供することができる。
【図面の簡単な説明】
【図１】本発明の光磁気ヘッドの一実施形態が組み込まれた、本発明の光磁気記憶装置の一実施形態の外観を表す斜視図である。
【図２】図１に示す光磁気記録装置の内部構造の一部を表す斜視図である。
【図３】図１に示す光磁気記録装置のハードウェア構成の一部を簡単に示した図である。
【図４】図１に示す光磁気記録装置に備えられた光磁気ヘッドの外観を示す斜視図である。
【図５】可動部の、半固定サスペンションを構成する２本のサスペンションのうちの一方のサスペンションが接する部分を示す図である。
【図６】可動部に関し、固定サスペンションを構成する各サスペンションとの接触位置、半固定サスペンションを構成する各サスペンションとの接触位置、および重心の位置関係を模式的に示す図である。
【符号の説明】
１００    光磁気記憶装置
１３    ＤＳＰ
２０２    レーザダイオード
３００    磁気ヘッド
３１０    固定部
３２０    固定サスペンション
３２１    サスペンション
３３０    可動部
３３１    レンズユニット
３３１１    ＭＦＭコイル
３３２    フォーカスコイル
３３３    トラックコイル
３３４    保持部材
３３５    切欠溝
３３６    電極
３３７    カバー部材
３４０    磁気回路
３４１    ヨーク
３４２    磁石
３５０    半固定サスペンション
３５１    サスペンション
【図１】
2004206841.tif 000003
【図２】
2004206841.tif 000004
【図３】
2004206841.tif 000005
【図４】
2004206841.tif 000006
【図５】
2004206841.tif 000007
【図６】
2004206841.tif 000008